(57)【要約】【課題】複雑な構造のスタンドを備えることなく、モニタ本体の傾きを容易に調整することができるとともに、梱包材に格納されたときの梱包嵩を小さくして、保管及び運搬のコストを低減することができる薄型モニタ装置を提供する。【解決手段】前記モニタ本体の下面を接触支持するベース部と、前記モニタ本体の背面と前記ベース部の後端部との間に介在された複数本のアーム部と、前記アーム部が前記ベース部に対して回動可能となるように前記アーム部の一方の端部と前記ベース部の後部とを連結させるベースヒンジ部と、前記アーム部が前記モニタ本体に対して回動可能となるように前記アーム部の他方の端部と前記モニタ本体の背面とを連結させるモニタヒンジ部と、前記ベース部は前記モニタ本体の下面を接触支持する面は前記モニタ本体の下面と係合し、前記ベースヒンジ部からの距離が異なる複数の位置より突出された係合凸部が備えられている。【選択図】図２
2009069554.tif 000002
【特許請求の範囲】
【請求項１】
映像を表示するモニタ本体を備えた薄型モニタ装置であって、
前記モニタ本体の下面を接触支持するベース部と、
前記モニタ本体の背面と前記ベース部の後端部との間に介在された複数本のアーム部と、
前記アーム部が前記ベース部に対して回動可能となるように前記アーム部の一方の端部と前記ベース部の後部とを連結させるベースヒンジ部と、
前記アーム部が前記モニタ本体に対して回動可能となるように前記アーム部の他方の端部と前記モニタ本体の背面とを連結させるモニタヒンジ部と、
前記ベース部は前記モニタ本体の下面を接触支持する面に前記モニタ本体の下面と係合し、前記ベースヒンジ部からの距離が異なる複数の位置より突出された係合凸部とを備えていることを特徴とする薄型モニタ装置。
【請求項２】
前記係合凸部は、前記モニタ本体部に向けて突設され、前記モニタ本体の下面が接触配置される斜面を有する三角形状の突部であり、前記モニタ本体の下面が接触する斜面の前記ベース部の前記モニタ本体の下面を接触支持する面に対する角度は、前記ベースヒンジ部より遠ざかるにつれて大きくなっている請求項１に記載の薄型モニタ装置。
【請求項３】
前記ベースヒンジ部には前記アーム部と前記ベース部との回動動作を制限する回動制限部が備えられている請求項１又は請求項２に記載の薄型モニタ装置。
【請求項４】
前記ベース部に係合させ、前記ベース部を垂直面に取り付けるためのベースブラケットを備えており、
前記係合凸部の前記モニタ本体の底面が接触配置される斜面には凹欠部が備えられており、
前記ベースブラケットは前記係合凸部と係合する棒状の係合部を備えている請求項３に記載の薄型モニタ装置。
【請求項５】
前記ベースヒンジ部は前記ベースより突設された一対の平板を備えたベース連結支持部と、前記アーム部の一方の端部に連結され、前記ベース連結支持部の一対の平板の間に配置されたベース連結部とを有しており、前記ベース連結支持部と前記ベース連結部とは貫通孔を有しているとともに、前記ベース連結支持部の貫通孔と前記ベース連結部の貫通孔とを同時に貫通する回動支持部材が挿入されており、
前記回動制限部は前記回動支持部材の外面、前記ベース連結支持部の貫通孔の内面及び前記ベース連結部の貫通孔の内面の摩擦係数よりも高い摩擦係数を有するシート状の部材であり、前記ベース連結支持部の貫通孔の内面及び前記ベース連結部の内面と接触するように前記回動支持部材を外嵌する請求項３又は請求項４に記載の薄型モニタ装置。
【請求項６】
前記ベースヒンジ部は前記ベースより突設された一対の平板を備えたベース連結支持部と、前記アーム部の一方の端部に連結され、前記ベース連結支持部の一対の平板の間に配置されたベース連結部とを有しており、前記ベース連結支持部と前記ベース連結部とは貫通孔を有しているとともに、前記ベース連結支持部の貫通孔と前記ベース連結部の貫通孔とを同時に貫通する回動支持部材が挿入されており、
前記ベース連結支持部は一対の平板の互いに対向する面の少なくとも一方に前記貫通孔を中心に放射状に形成された第１凹凸部が形成されており、前記ベース連結部の前記第１凹凸部と対向する面に第２凹凸部が形成されており、
前記ベースヒンジ部は前記第１凹凸部と前記第２凹凸部が噛み合うように、前記一対の平板を前記ベース連結部に押し付ける押し付け部材を備えている請求項３又は請求項４に記載の薄型モニタ装置。
【請求項７】
前記回動制限部は前記ベース部の側面に回動可能に支持されたブレースを備えており、
前記アーム部の側面に複数個の係合ピンが備えられており、
前記ブレースの先端部に形成された凹欠を前記係合ピンと係合させることで前記アーム部と前記ベース部との回動を制限することを特徴とする請求項３又は請求項４に記載の薄型モニタ装置。
【請求項８】
前記モニタヒンジ部には前記アーム部と前記モニタ本体との回動動作を制限する回動制限部が備えられている請求項１から請求項７のいずれかに記載の薄型モニタ装置。
【請求項９】
前記モニタヒンジ部は前記モニタ本体より突設された一対の平板を備えたモニタ連結支持部と、前記アーム部の他方の端部に連結され、前記モニタ連結支持部の一対の平板の間に配置されたモニタ連結部とを有しており、前記モニタ連結支持部と前記モニタ連結部とは貫通孔を有しているとともに、前記モニタ連結支持部の貫通孔と前記モニタ連結部の貫通孔とを同時に貫通する回動支持部材が挿入されており、
前記回動制限部は前記回動支持部材の外面、前記モニタ連結支持部の貫通孔の内面及び前記モニタ連結部の貫通孔の内面の摩擦係数よりも高い摩擦係数を有するシート状の部材であり、前記モニタ連結支持部の貫通孔の内面及び前記モニタ連結部の内面と接触するように前記回動支持部材を外嵌する請求項８に記載の薄型モニタ装置。
【請求項１０】
前記モニタヒンジ部は前記モニタ本体より突設された一対の平板を備えたモニタ連結支持部と、前記アーム部の他方の端部に連結され、前記モニタ連結支持部の一対の平板の間に配置されたモニタ連結部とを有しており、前記モニタ連結支持部と前記モニタ連結部とは貫通孔を有しているとともに、回動支持部材が挿入されており、
前記モニタ連結支持部は一対の平板の互いに対向する面の少なくとも一方に前記貫通孔を中心に放射状に形成された第１凹凸部が形成されており、前記モニタ連結部の前記第１凹凸部と対向する面に第２凹凸部が形成されており、
前記モニタヒンジ部は前記第１凹凸部と前記第２凹凸部が噛み合うように、前記一対の平板を前記モニタ連結部に押し付ける押し付け部材を備えている請求項８に記載の薄型モニタ装置。
【発明の詳細な説明】
【技術分野】
【０００１】
本発明は、コンパクトに収納することができるとともに表示部の角度を容易に変更することができるスタンドを備えた薄型モニタ装置に関する。
【背景技術】
【０００２】
近年、ＰＣ用モニタやＴＶ受像機等の映像を表示する表示装置して、省スペース、軽量な液晶表示装置に代表される薄型モニタ装置が多く使用されている。前記薄型モニタ装置の多くは、モニタ本体と、前記モニタ本体と連結されたスタンド部とを有している。前記スタンド部を用いて設置部の水平面に配置することで、前記モニタ本体は正立した状態を維持して設置部上に配置される。
【０００３】
前記スタンド部は、前記モニタ本体と連結された脚部と、前記脚部の前記モニタ本体と反対側に連設されたベース部とを有している。前記脚部はモニタ本体の下部より突出された柱状の部材である。前記ベース部は前記モニタ本体が前後方向に倒れるのを防ぐために、前後に前記モニタ本体の大きさ及び重さに応じた幅を有する平板形状を有している。
【０００４】
前記ベース部と前記脚部とは所定の角度をなすように取り付けられている。前記スタンド部を備えた薄型モニタ装置をダンボール等の梱包材で梱包する場合、前記スタンド部の前後方向長さ以上の厚さのあるものが必要であり、それだけ、無駄な空間が必要になる。前記薄型モニタ装置を流通させるときに、梱包時の厚さが厚いと、搬送に多くのコストがかかる。
【０００５】
そこで、梱包時の厚さを薄くするために、前記スタンド部が取り外し可能となるように形成されているものがある。梱包時の厚さの原因となる前記スタンド部を取り外して、前記モニタ本体と重ねて梱包することで、梱包時の厚さを薄くすることができる。
【０００６】
また、特開２００３−２８０５３３号公報には、モニタ本体と、前記モニタ本体を支持するベース部と、前記モニタ本体と前記ベース部との間に介されるリンク部を有しており、前記リンク部の一端と前記ベース部とを回動可能に連結するベースヒンジと、前記リンク部の他端と前記モニタ本体とを相互ティルティング可能に連結するモニタヒンジとを有しているモニタ装置が示されている。
【０００７】
前記モニタ装置では、前記ベースヒンジ及び前記モニタヒンジを回動させることで、前記リンク部及び前記ベース部を前記モニタ本体に沿って配置させることができ、梱包嵩を小さくすることができる。
【０００８】
【特許文献１】特開２００３−２８０５３３号公報
【発明の開示】
【発明が解決しようとする課題】
【０００９】
しかしながら、分解可能のスタンド部を有する薄型モニタ装置の場合、前記薄型モニタ装置を設置台に設置するときに、前記スタンド部を組み立てなくてはならない。また、前記スタンド部には、前記ベース部と前記脚部とが備えられている。前記ベース部及び前記脚部はそれぞれ、３次元的に異なった方向に伸びた部材であり、前記スタンド部を分解した場合であっても、梱包時の厚さが薄くなりにくい場合もある。
【００１０】
また、近年、前記薄型モニタ装置は大型化してきており、重量が大幅に重くなっている。重量の重い薄型モニタ装置のスタンド部を組み立てるのは困難である。また、重量が重い場合に、分解可能なスタンド部の場合、十分な強度を得ることができない可能性があり、その場合、薄型モニタ装置の落下や転倒等が発生し危険である。
【００１１】
また、特開２００３−２８０５３３号公報に記載されたモニタ装置では、前記ベースヒンジ或いは前記モニタヒンジで、前記ベース部と前記リンク部の角度、前記モニタ本体と前記リンク部の角度を調整しなくてはならず、前記ベースヒンジ及び前記モニタヒンジの形状が複雑になる。
【００１２】
そこで本発明は、複雑な構造のスタンドを備えることなく、梱包材に格納されたときの梱包嵩を小さくして、保管及び運搬のコストを低減することができる薄型モニタ装置を提供することを目的とする。
【００１３】
また本発明は、収納時に邪魔になることなく、モニタ本体の傾きを容易に調整することができるスタンド部を備えた薄型モニタ装置を提供することを目的とする。
【課題を解決するための手段】
【００１４】
上記目的を達成するために本発明は、映像を表示するモニタ本体を備えた薄型モニタ装置であって、前記モニタ本体の下面を接触支持するベース部と、前記モニタ本体の背面と前記ベース部の後端部との間に介在された複数本のアーム部と、前記アーム部が前記ベース部に対して回動可能となるように前記アーム部の一方の端部と前記ベース部の後部とを連結させるベースヒンジ部と、前記アーム部が前記モニタ本体に対して回動可能となるように前記アーム部の他方の端部と前記モニタ本体の背面とを連結させるモニタヒンジ部と、前記ベース部は前記モニタ本体の下面を接触支持する面に前記モニタ本体の下面と係合し、前記ベースヒンジ部からの距離が異なる複数の位置より突出された係合凸部とを備えていることを特徴とする。
【００１５】
この構成によると、前記アーム部及び前記ベース部を容易に折りたたむことができるので、運搬時や保管時の梱包を行うときに、薄型モニタ装置がかさばるのを抑制することが可能である。
【００１６】
また、モニタ本体部の下面と係合凸部との係合位置を変えるだけで、角度調整を容易に行うことができ、それだけ、薄型モニタ装置を多彩な使用条件下で利用することが可能である。
【００１７】
上記構成において、前記係合凸部は、前記モニタ本体部に向けて突設され、前記モニタ本体の下面が接触配置される斜面を有する三角形状の突部であり、前記モニタ本体の下面が接触する斜面の前記ベース部の前記モニタ本体の下面を接触支持する面に対する角度は、前記ベースヒンジ部より遠ざかるにつれて大きくなっているものを挙げることができる。
【００１８】
上記構成において、前記ベースヒンジ部には前記アーム部と前記ベース部との回動動作を制限する回動制限部が備えられていてもよい。
【００１９】
上記構成において、前記ベース部に係合させ、前記ベース部を垂直面に取り付けるためのベースブラケットを備えており、前記係合凸部の前記モニタ本体の底面が接触配置される斜面には凹欠部が備えられており、前記ベースブラケットは前記係合凸部と係合する棒状の係合部を備えているものであってもよい。
【００２０】
この構成によると、前記ベースブラケットを用いることで、前記薄型モニタ装置を水平面或いはそれに順ずる平面以外の部分にも、用意に設置することが可能である。また、取り外す部材がないので、部材をなくす心配がなく、設置場所の変更（たとえば、壁から台上へ）を速やかに実行することができる。
【００２１】
上記構成において、前記ベースヒンジ部は前記ベースより突設された一対の平板を備えたベース連結支持部と、前記アーム部の一方の端部に連結され、前記ベース連結支持部の一対の平板の間に配置されたベース連結部とを有しており、前記ベース連結支持部と前記ベース連結部とは貫通孔を有しているとともに、前記ベース連結支持部の貫通孔と前記ベース連結部の貫通孔とを同時に貫通する回動支持部材が挿入されており、前記回動制限部は前記回動支持部材の外面、前記ベース連結支持部の貫通孔の内面及び前記ベース連結部の貫通孔の内面の摩擦係数よりも高い摩擦係数を有するシート状の部材であり、前記ベース連結支持部の貫通孔の内面及び前記ベース連結部の内面と接触するように前記回動支持部材を外嵌するものであってもよい。
【００２２】
また、前記ベース連結支持部が一対の平板の互いに対向する面の少なくとも一方に前記貫通孔を中心に放射状に形成された第１凹凸部が形成されており、前記ベース連結部の前記第１凹凸部と対向する面に第２凹凸部が形成されており、前記ベースヒンジ部は前記第１凹凸部と前記第２凹凸部が噛み合うように、前記一対の平板を前記ベース連結部に押し付ける押し付け部材を備えているものであってもよい。前記押し付け部材は前記回動支持部材と共通部材として用いることができるボルトと、前記ボルトと螺合されるナットを挙げることができる。
【００２３】
上記構成において、前記回動制限部は前記ベース部の側面に回動可能に支持されたブレースを備えており、前記アーム部の側面に複数個の係合ピンが備えられており、前記ブレースの先端部に形成された凹欠を前記係合ピンと係合させることで前記アーム部と前記ベース部との回動を制限するものであってもよい。
【００２４】
上記構成において、前記モニタヒンジ部には前記アーム部と前記モニタ本体との回動動作を制限する回動制限部が備えられているものであってもよい。
【００２５】
上記構成において、前記モニタヒンジ部は前記モニタ本体より突設された一対の平板を備えたモニタ連結支持部と、前記アーム部の他方の端部に連結され、前記モニタ連結支持部の一対の平板の間に配置されたモニタ連結部とを有しており、前記モニタ連結支持部と前記モニタ連結部とは貫通孔を有しているとともに、前記モニタ連結支持部の貫通孔と前記モニタ連結部の貫通孔とを同時に貫通する回動支持部材が挿入されており、前記回動制限部は前記回動支持部材の外面、前記モニタ連結支持部の貫通孔の内面及び前記モニタ連結部の貫通孔の内面の摩擦係数よりも高い摩擦係数を有するシート状の部材であり、前記モニタ連結支持部の貫通孔の内面及び前記モニタ連結部の内面と接触するように前記回動支持部材を外嵌するものであってもよい。
【００２６】
また、前記モニタ連結支持部は一対の平板の互いに対向する面の少なくとも一方に前記貫通孔を中心に放射状に形成された第１凹凸部が形成されており、前記モニタ連結部の前記第１凹凸部と対向する面に第２凹凸部が形成されており、前記モニタヒンジ部は前記第１凹凸部と前記第２凹凸部が噛み合うように、前記一対の平板を前記モニタ連結部に押し付ける押し付け部材を備えているものであってもよい。
【発明の効果】
【００２７】
本発明によると、複雑な構造のスタンドを備えることなく、梱包材に格納されたときの梱包嵩を小さくして、保管及び運搬のコストを低減することができる薄型モニタ装置を提供することができる。
【００２８】
また本発明は、収納時に邪魔になることなく、モニタ本体の傾きを容易に調整することができるスタンド部を備えた薄型モニタ装置を提供することができる。
【発明を実施するための最良の形態】
【００２９】
以下に本発明の実施形態を図面を参照して説明する。図１は薄型モニタ装置の一例である液晶表示装置の正面側から見た斜視図であり、図２は図１に示す液晶表示装置の背面側から見た斜視図である。図１及び図２に示すように、液晶表示装置Ａは、少なくとも、モニタ本体１及びスタンド２を備えている。図１に示すようにモニタ本体１はスタンド２にて正立した状態で支持されている。なお、以下の説明においては、別途示さない場合、液晶表示装置Ａの方向（左右方向、上下方向）は正立状態及び背面側から正面側に向かった状態を基準として説明を行うこととする。
【００３０】
モニタ本体１は、フロントキャビネット１１と、リヤキャビネット１２と、液晶モジュール１３とを備えている。フロントキャビネット１１は、モニタ本体１の正面側の外装部材であり、矩形状の枠体である。フロントキャビネット１１はそれには限定されないが、ここでは樹脂の一体成型で製造される部材である。フロントキャビネット１１には、正面側に矩形状の貫通孔である窓部１１０が形成されている。
【００３１】
リヤキャビネット１２はモニタ本体１の背面側の外装部材であり、フロントキャビネット１１の背面側に嵌合される。リヤキャビネット１２もフロントキャビネット１１と同様、樹脂の一体成型にて製造されるものである。フロンとキャビネット１１とリヤキャビネット１２とで囲まれる空間の内部に、液晶モジュール１３が配置されている。液晶モジュール１３は外部からの信号を受けて、表示部に映像を表示するものである。液晶モジュール１３は正面側の有効ディスプレイ領域１３１がフロントキャビネット１１の窓部１１０より露出するように、フロントキャビネット１１とリヤキャビネット１２の間の空間に配置されている。
【００３２】
図２に示すように、スタンド２はベース部２１と、２本のアーム部２２と、ベースヒンジ部２３と、モニタヒンジ部２４とを有している。ベースヒンジ部２３はアーム部２２とベース部２１と回動可能に連結するものであり、モニタヒンジ部２４はリンク部２２をリヤキャビネット１２の背面に回動可能に連結するものである。
【００３３】
スタンド２についてさらに詳しく説明する。図３は図２に示すスタンドのベース部の平面図であり、図４は図３に示すベース部の側面図であり、図５は図２に示すスタンドのアーム部の側面図であり、図６はスタンドの側面図である。図４、図６に示すように、ベース部２１は、スタンド２にて液晶表示装置Ａを水平面に配置したときの上面２１ｕと下面２１ｄとを有しており、下面２１ｄは平面をなすように形成されている。
【００３４】
図３に示すように、ベース部２１は矩形状の外枠部２１１と、外枠部２１１の長手方向に伸び、短手方向に平行に並んで配置された５個の縦桟部２１２と、縦桟部２１２よりベース部２１の上方２１ｕに突出された山形のストッパ部２１３とを有している。図４に示すように、ストッパ部２１３はベースヒンジ部２３より遠ざかるにつれて、頂点の角度が小さくなるように形成されている。ここで便宜上、ストッパ部２１３に、ベース連結支持部２３１から近いほうから順に、２１３ａ、２１３ｂ、２１３ｃと符号をつける。また、ストッパ部２１３はいずれも２等辺三角形状を有しており、２１３ａの頂部はａ度、２１３ｂの頂部はｂ度、２１３ｃの頂部はｃ度である（ａ＞ｂ＞ｃ）。
【００３５】
図３、図４、図５に示すように、ベースヒンジ部２３は、ベース部２１に形成され、対向して配置された一対の平板部２３１１を備えたベース連結支持部２３１と（図３、図４参照）、アーム部２２の一方の端部にアーム部２２と一体的に形成されたベース連結部２３２と（図５参照）を有している。ベース連結部２３２はアーム部２２と連結されている部分以外の部分は円柱形状に形成されており、その円柱形状の中央部に円柱形状の貫通孔２３３（図５参照）が形成されている。ベース連結支持部２３１はベース部２１の一方の短辺の両端部に形成されるものであり、平板部２３１１には円形状の貫通孔２３０が形成されている。各平板部２３１１の貫通孔２３０は共通の中心軸を備え同一の内径を有するものである。図５に示すように、ベース連結部２３２はアーム部２２の中心軸に対して上側にずれて連結されている。
【００３６】
モニタヒンジ部２４はリヤキャビネット１２の背面に形成され、対向して配置された一対の平板部２４１１を備えたモニタ連結支持部２４１と（図２参照）、アーム部２２のベース連結部２３２と反対側の端部にアーム部２２と一体的に形成されたモニタ連結部２４２とを有している。モニタ連結部２４２はアーム部２２と連結されている部分以外の部分は円柱形状に形成されており、その円柱形状の中央部に円柱状の貫通孔２４３（図５参照）が形成されている。モニタ連結支持部２４１は、リヤキャビネット１２の背面に左右に離れて２個備えられている。各平板部２４１１の貫通孔２４０は共通の中心軸を備え同一の内径を有するものである。図５に示すように、モニタ連結部２４２はアーム部２２のベース連結部２３２と反対側の端部に、中心軸に対してベース連結部２３２と反対側に連結されている。
【００３７】
図２、図６に示すように、平行に配置された一対のベース連結支持部２３１の２枚の平板２３１１の間にベース連結部２３１が配置されている。ベース連結部２３１はアーム部２２の端部よりベース部２１側に突出するように配置されている。そして、ベース連結支持部２３１の貫通孔２３０とベース連結部２３２の貫通孔２３３とが回動ピン２３４に貫通されている。スタンド２に回動ピン２３４が備えられていることで、ベース部２１とアーム部２２とがベースヒンジ部２３を介して、互いに回動可能となるように連結される。
【００３８】
なお、回動ピン２３４には軸方向の両端部に貫通孔２３０の内径よりも大きな外径を有する抜け止め部材２３５が取り付けられている。回動ピン２３４にこの抜け止め部材２３５が備えられていることで、ベースヒンジ部２３を繰り返し動作させた場合でも、回動ピン２３４が貫通孔２３０、貫通孔２３３から脱落するのを抑制することが可能である。
【００３９】
また、図２に示すように、平行に配置された一対のモニタ連結支持部２４１の２枚の平板２４１１の間にモニタ連結部２４２が配置されている。モニタ連結部２４２はアーム部２２の端部よりリヤキャビネット側に突出するように配置されている。そして、モニタ連結支持部２４１の貫通孔２４０とモニタ連結部２４２の貫通孔２４３とが回動ピン２４４に貫通されている。
【００４０】
スタンド２に回動ピン２４４が備えられていることで、アーム部２２がリヤキャビネット１２に対して所定の角度をなすように回動可能に連結される。なお、回動ピン２４４には、軸方向の両端部に貫通孔２４０の内径よりも大きな外径を有する抜け止め部材２４５が取り付けられている。回動ピン２４４に抜け止め部材２４５が備えられていることで
、アーム部２２をモニタヒンジ部２４を中心に繰り返し回動させた場合でも、回動ピン２４４が貫通孔２４０、貫通孔２４３から脱落するのを抑制することができる。
【００４１】
スタンド２についてさらに説明する。図７は本発明にかかる液晶表示装置のスタンドを折りたたんだ状態の側面図であり、図８は図７に示す液晶表示装置のスタンドを利用している状態の側面図である。図７に示す液晶表示装置Ａは、梱包材に梱包されて運搬されたり、保管されたりする状態である。図７に示すように、液晶表示装置Ａでは、アーム部２２がモニタヒンジ部２４を中心に回転されており、リヤキャビネット１２の背面に沿うように配置されている。また、ベース部２１がベースヒンジ部２３を中心に回転されており、リンク部２２と接触するように配置されている。このとき、ベース部２１は、底面２１ｄがリヤキャビネット１２に対向するように配置されている。
【００４２】
すなわち、液晶表示装置Ａにおいて、スタンド２はモニタ本体１に沿うように折りたたまれている。この状態で、梱包材に梱包されることで、通常、モニタ本体１の厚み方向に伸びるスタンドを、分解することなくモニタ本体１に添わせて収納することができるので、梱包時の厚みを小さくすることができる。
【００４３】
次に、液晶表示装置Ａが梱包材より取り出されて、設置場所に設置されるときのスタンド２について説明する。液晶表示装置Ａは梱包材より取り出されたときには、図７に示すように、スタンド２が折りたたまれた状態である。リンク部２２はモニタヒンジ部２４を中心にアーム部２２の先端がリヤキャビネット１２から離れるように回動される。それと同時に、ベース部２１がベースヒンジ部２３を中心に回動され、ベース部２１がモニタ本体１の下方に移動される。このとき、ベース部２１は上面２１ｕがモニタ本体１と対向される。
【００４４】
図８に示すように、ベース部２１が液晶表示装置Ａを設置する水平面Ｓｇに底面２１ｄを当接させて配置される。さらに、ベース部２１の上面２１ｕに突出したストッパ部２１３（ここでは、ストッパ部２１３ａ）にモニタ本体１の下面１０を当接させる。以上のようにして、モニタ本体１はリヤキャビネット１２の背面がリンク部２２に支持されるとともに、下部がベース部２１のストッパ部２１３に支持されるので、液晶表示装置Ａは水平面Ｓｇ上に正立した状態で支持される。
【００４５】
図９、図１０は図８に示す液晶表示装置の設置角度を変えた側面図である。上述したように、ベース部２１は複数個のストッパ部２１３を備えている。なお、モニタ本体１の下面１０と、液晶モジュール１３の有効ディスプレイ領域とは垂直をなすものとする。
【００４６】
図８に示しているように、モニタ本体１の下面１０がストッパ部２１３ａに支持されている場合、モニタ本体１の下面１０がストッパ部２１３ａの斜面と当接して支持されている。これにより、液晶モジュール１３の有効ディスプレイ領域１３１は、水平面Ｓｇに対してａ／２度起された状態で正立されて支持されている。同様に、下面１０がストッパ部２１３ｂに支持されている場合、有効ディスプレイ領域１３１は、水平面Ｓｇに対してｂ／２度起された状態で成立されて支持されている（図９参照）。さらに、下面１０がストッパ部２１３ｃに支持されている場合、有効ディスプレイ領域１３１は、水平面Ｓｇに対してｃ／２度起された状態で正立されて支持されている（図１０参照）。
【００４７】
ここで、上述したように、ストッパ部２１３ａ、２１３ｂ、２１３ｃの頂部の角度が、ａ＞ｂ＞ｃの関係を有しているので、モニタ本体１は下面１０がストッパ部２１３ａで支持されているときに、液晶モジュール１３の有効ディスプレイ領域１３１が水平面Ｓｇに対してもっとも直立に近い状態で支持されている。逆に、下面１０がストッパ部２１３ｃで支持されているときに、有効ディスプレイ領域１３１が水平面Ｓｇに対してもっとも倒れた状態で支持されている。
【００４８】
このように、複数個備えられたストッパ部２１３を適当に選択して、モニタ本体１の下面１０が、選択されたストッパ部２１３に支持されることで、モニタ本体１の有効ディスプレイ領域１３１の傾きを容易に変更することが可能である。
【００４９】
なお、スタンド２において、ベース部２１のベース連結支持部２３１側の端部からストッパ部２１３ａ、２１３ｂ、２１３ｃまでの距離、アーム部２２の長さ（貫通孔２３３の中心から貫通孔２４３中心までの長さ）及びモニタ本体１の下面１０からモニタ連結支持部２４１までの長さは、ベース部２１とアーム部２２とで、モニタ本体１を支持したときに、モニタ本体１を安定して支持できるように設定されている。
【００５０】
ベースヒンジ部の他の例について説明する。図１１はベースヒンジ部の他の例の断面図である。図１１に示すように、回動ピン２３４と貫通孔２３０及び貫通孔２３３との間には、円筒状の摩擦部材２３６が備えられていてもよい。摩擦部材２３６は回動ピン２３２と貫通孔２３０及び回動ピン２３２と貫通孔２３１との間に摩擦力を発生させるものである。摩擦部材２３６を備えると、ベース部２１及び（又は）アーム部２２に一定以上の力が作用した場合にのみ、ベース部２１とアーム部２２とがベースヒンジ部２３を中心に回動される。このことにより、ベース部２１とアーム部２２との角度は、ベース部２１とアーム部２２との間に一定以上の力が作用しない限り、一定の角度に保たれる。
【００５１】
また、図１２はベースヒンジ部のさらに他の例の分解図である。図１２に示しているように、ベース連結支持部２３１の内面側及びベース連結部２３２の外面側にそれぞれ貫通孔２３０及び２３３を中心として放射状に形成された複数の凹凸２３７、２３８が形成されており、凹凸２３７、２３８が噛み合うことでベース部２１とアーム部２２の回動を阻止する機構を有していてもよい。この場合、回動ピン２３４及び抜け止め部材２３５に換えて、ボルトとナットを用いる。ベース部２１とアーム部２２とが適当な角度をなしたときに、ボルト及びナットを締めることで、凹凸２３７、２３８が強固に噛み合い、ベース部２１及び（又は）アーム部２２大きな力が作用した場合であっても、ベース部２１とアーム部２２の角度は保持される。また、ボルトナット以外でも、凹凸２３７と２３８を互いに押さえつけることができるものを広く採用することができる。
【００５２】
なお、以上図１１、１２を参照してベースヒンジ部２３について説明したが、モニタヒンジ部２４についても、同様の構造を備えるようにしてもよい。
【００５３】
本発明にかかる液晶表示装置の他の実施例について図面を参照して説明する。図１３は本発明にかかる液晶表示装置の他の例に用いられるスタンドの側面図であり、図１４は図１３に示すスタンドを備えた液晶表示装置の水平面に設置した状態の側面図であり、図１５は図１３に示すように、ベース部２１は、ストッパ部２１４の形状が異なる以外は、図４等に示すベース部２１と同じ構成を有している。実質上同一の部分には同じ符号が付してある。
【００５４】
図１３に示すように、ベース部２１のストッパ部２１４は二等辺三角形状に形成されているとともに、モニタ連結支持部２４１に近いほうの斜面に開口を有する凹欠２１５が形成されている。
【００５５】
図１４に示しているように、モニタ本体１の下面１０には、ストッパ部２１４の凹欠２１５と係合される係合部１０１が備えられている。係合部１０１は下面１０より下方に配置され、両端部が支持された棒状の部材である。この棒状の係合部１０１を凹欠２１５に係合させることで、より安定してモニタ本体１を正立した状態で支持することができる。また、図１３、１４に示すようにベース部２１には、側面より突出した固定用凸部２１６がストッパ部２１４と同数（ここでは３個）備えられている。また、ベース部２１の側面には固定用凸部２１６と同形状の静止用凸部２１７が備えられている。
【００５６】
図１３、図１４、図１５に示すように、アーム部２２の側面には、回転可能に支持されたブレース２２１が備えられている。ブレース２２１はアーム部２２よりも短い長尺部材であり、一方の端部近傍がアーム部２２の側部に回転可能に支持されている。また、他方の端部近傍にはベース部２１に形成された固定用凸部２１６と係合される、係合凹部２２３が形成されている。係合凹部２２２は固定用凸部２１６及び静止用凸部２１７が通過できる入口部２２３と、入口部２２３の奥にブレース２２１の長手方向に伸びる係合部２２４とを有している。
【００５７】
図１４に示すように液晶表示装置を水平面Ｓｇに設置したときには、水平面Ｓｇ上にベース部２１が接触配置されており、ブレース２２１が固定用凸部２１６に係合されている。このとき、モニタ本体部１は背面側に倒れようとし、アーム部２２には、ベースヒンジ部２３を中心に背面側（図１４では時計回り方向）に力が作用する。この力によって、ブレース２２１がアーム部２２に引っ張られる。ブレース２２１が引っ張られることで、固定用凸部２１６が係合部２２４の先端側に移動し、ブレース２２１の係合凹部２２２が固定用凸部２１６と離れないように係合される。このように、ブレース２２１の係合凹部２２２と固定用凸部２１６とが係合されることで、アーム部２２の回動を規制し、モニタ本体１が倒れず、正立した状態で維持される。なお、ブレース２２１の係合凹部２２２と係合する固定用凸部２１６は、モニタ本体１の係合部１０１と係合するストッパ部２１５の位置によって決定するものである。
【００５８】
また、図１５に示すようにスタンド２がモニタ本体１の背面側に折りたたまれた状態のときは次のとおりである。リンク部２２がモニタ本体１の背面に沿うように配置されているとともに、ベース部２１が下面２１ｄをモニタ本体１の背面と対向するように移動されている。このとき、ブレース２２１の係合凹部２２２が静止用凸部２１７と係合されている。このように係合凹部２２２と静止用凸部２１７とが係合していることで、スタンド２のベース部２１がベースヒンジ部２３を中心として背面側に倒れるのを抑制することができる。アーム部２２とリヤキャビネット１２とは固定されていないが、モニタヒンジ部２４が折りたたまれたスタンド２の上端部を支持しているので、スタンド２が自重によってリヤキャビネット１２から離れるように動くことは発生しにくい。
【００５９】
また、図１５に示すように、壁掛け用ブラケット４をあらかじめ準備しておき、ベース部２１を係合させて、液晶表示装置Ａを壁掛け設置できるようにしていてもよい。このとき、壁掛け用ブラケット４は、ベース部２１のストッパ部２１３に形成された凹欠２１５と係合可能な係合部４１を有している。係合部４１はストッパ部２１３の凹欠２１５に対応する位置に３本の横方向に伸びる棒状部材である。この棒状の係合部４１に凹欠２１５を係合させることで、壁掛け用ブラケット４とベース部２１とを係合することが可能である。
【００６０】
液晶表示装置Ａが壁掛け用ブラケット４にて壁面に設置された場合、アーム部２２にはモニタ本体１の自重によって、ベースヒンジ部２３を中心にベース部２１より離反する方向に回動する力が作用する。モニタ本体１の自重による力によって、ブレース２２２がベース部２１より遠ざかる方向に引っ張られる。これにより、静止用凸部２１７が係合凹部２２２の先端側に移動され、静止用凸部２１７が係合凹部２２２と確実に係合される。これにより、ブレース２２１によってモニタ本体１がベース部２１から離れる方向に移動するのを抑制されるので、液晶表示装置Ａが壁面に安定して設置される。
【００６１】
上記各実施例においては、薄型モニタ装置の一例として液晶表示装置を挙げている。しかしながら、これに限定されるものではなく、プラズマディスプレイ装置等厚みが小さな映像表示装置に広く採用することが可能である。
【００６２】
以上、発明の実施形態を具体的に説明したが、本発明は上記実施形態に限定するものではなく、その要旨を逸脱しない範囲で種々変更可能である。
【産業上の利用可能性】
【００６３】
本発明は、液晶表示装置やプラズマディスプレイ装置等の薄型表示装置に適用可能である。
【図面の簡単な説明】
【００６４】
【図１】薄型モニタ装置の一例である液晶表示装置の正面側から見た斜視図である。
【図２】図１に示す液晶表示装置の背面側から見た斜視図である。
【図３】図２に示すスタンドのベース部の平面図である。
【図４】図３に示すベース部の側面図である。
【図５】図２に示すスタンドのリンク部の側面図である。
【図６】スタンドの側面図である。
【図７】本発明にかかる液晶表示装置のスタンドを折りたたんだ状態の側面図である。
【図８】図７に示す液晶表示装置のスタンドを利用している状態の側面図である。
【図９】図８に示す液晶表示装置の設置角度を変えた側面図である。
【図１０】図８に示す液晶表示装置の設置角度を変えた側面図である。
【図１１】ベースヒンジ部の他の例の断面図である。
【図１２】ベースヒンジ部のさらに他の例の断面図である。
【図１３】本発明にかかる液晶表示装置の他の例に用いられるスタンドの側面図である。
【図１４】図１３に示すスタンドを備えた液晶表示装置の水平面に設置した状態の側面図である。
【図１５】図１３に示す液晶表示装置のスタンドを折りたたんだ状態の側面図である。
【符号の説明】
【００６５】
１  モニタ本体
１１  フロントキャビネット
１２  リヤキャビネット
２  スタンド
２１  ベース部
２１１  外枠部
２１２  縦桟部
２１３  ストッパ部
２２  アーム部
２３  ベースヒンジ部
２４  モニタヒンジ部
【図１】
2009069554.tif 000003
【図２】
2009069554.tif 000004
【図３】
2009069554.tif 000005
【図４】
2009069554.tif 000006
【図５】
2009069554.tif 000007
【図６】
2009069554.tif 000008
【図７】
2009069554.tif 000009
【図８】
2009069554.tif 000010
【図９】
2009069554.tif 000011
【図１０】
2009069554.tif 000012
【図１１】
2009069554.tif 000013
【図１２】
2009069554.tif 000014
【図１３】
2009069554.tif 000015
【図１４】
2009069554.tif 000016
【図１５】
2009069554.tif 000017